(57)【要約】  ワイヤレス通信のための方法、装置、およびコンピュータプログラム製品が提供される。この装置は、第１のネットワークを使用して音声呼を開始し、条件が存在することを決定し、および当該条件が存在するという決定の後に、その音声呼を第１のネットワークから第２のネットワークへ切り換えるように構成される少なくとも１つのプロセッサを含み得る。第１のネットワークは、パケット交換ネットワークであり得、第２のネットワークは回線交換ネットワークであり得、当該条件は、パケット交換ネットワークが粗悪なカバレッジ品質を有することであり得る。代替的に、第１のネットワークは回線交換ネットワークであり得、第２のネットワークはパケット交換ネットワークであり得、当該条件は、パケット交換ネットワークが改善されたカバレッジ品質を有することであり得る。オプションで、ユーザは切り換えを実行するように促され得、ユーザは切り換えを実行するために入力を提供し得る。切り換えは、ＳＲＶＣＣまたはＲＲＣシグナリングを使用して実行され得る。【選択図】図１
2016527782.tif 000002
【特許請求の範囲】
【請求項１】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を備える、方法。
【請求項２】
前記第１のネットワークはパケット交換ネットワークであり、前記第２のネットワークは回線交換ネットワークであり、前記方法はさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないと決定した後に、前記パケット交換ネットワークに必要な第１の送信電力と前記回線交換ネットワークに必要な第２の送信電力とを決定することと、を備え、
前記条件は、前記第２の送信電力が前記第１の送信電力より小さいことを備える、請求項１に記載の方法。
【請求項３】
前記第１のネットワークは回線交換ネットワークであり、前記第２のネットワークはパケット交換ネットワークであり、および前記条件は、前記パケット交換ネットワークが改善されたカバレッジ品質を有することを備え、前記方法はさらに、
前記条件が存在するとの前記決定の後に、前記音声呼を前記回線交換ネットワークから前記パケット交換ネットワークへ切り換えることをユーザに促すことと、
前記音声呼を前記回線交換ネットワークから前記パケット交換ネットワークへ切り換えるための入力を前記ユーザから受信することと、を備え、
前記音声呼を前記回線交換ネットワークから前記パケット交換ネットワークへ前記切り換えることは、前記ユーザ入力が受信された後に起こる、請求項１に記載の方法。
【請求項４】
前記第１のネットワークは回線交換ネットワークであり、前記第２のネットワークはパケット交換ネットワークであり、
前記条件は、前記パケット交換ネットワークが改善されたカバレッジ品質を有することを備え、
前記音声呼を前記回線交換ネットワークから前記パケット交換ネットワークへ前記切り換えることは、無線リソース制御（ＲＲＣ）シグナリングを使用して実行される、請求項１に記載の方法。
【請求項５】
前記第１のネットワークは回線交換ネットワークであり、前記第２のネットワークはパケット交換ネットワークであり、
前記パケット交換ネットワークは、前記音声呼が前記回線交換ネットワークを使用して開始される時、前記音声呼のために利用不可能であり、
前記条件は、前記回線交換ネットワークが低下したカバレッジ品質を有し、かつ、前記パケット交換ネットワークが前記音声呼のために利用可能になること、を備える、請求項１に記載の方法。
【請求項６】
前記第１のネットワークは回線交換ネットワークであり、前記第２のネットワークはパケット交換ネットワークであり、前記条件は、
前記回線交換ネットワークを使用して開始された前記音声呼がドロップすること、かつ
前記ＵＥがインターネットプロトコルマルチメディアサブシステム（ＩＭＳ）ネットワークに登録されていること、
を備える、請求項１に記載の方法。
【請求項７】
前記音声呼が、前記第１のネットワークを使用して開始される時、前記ＵＥは、インターネットプロトコルマルチメディアサブシステム（ＩＭＳ）ネットワークから登録解除されており、前記方法はさらに、
前記ＵＥが前記ＩＭＳネットワークに登録されるまで、前記第１のネットワークを介して後続の音声呼を開始することを備える、請求項１に記載の方法。
【請求項８】
前記音声呼が、前記第１のネットワークを使用して開始される時、前記ＵＥは、インターネットプロトコルマルチメディアサブシステム（ＩＭＳ）ネットワークから登録解除されており、前記方法はさらに、
前記第１のネットワークを使用した前記音声呼がドロップされた後に、前記第２のネットワークを介して後続の音声呼を開始することを備える、請求項１に記載の方法。
【請求項９】
前記音声呼は、粗悪なカバレッジ品質を有する前記第１のネットワークを使用して開始され、前記方法はさらに、
前記音声呼の間に無線リンク障害（ＲＬＦ）が起こった後に、前記第２のネットワークを介して後続の音声呼を開始することを備える、請求項１に記載の方法。
【請求項１０】
前記第１のネットワークはパケット交換ネットワークであり、前記第２のネットワークは回線交換ネットワークであり、および前記条件は、前記パケット交換ネットワークが粗悪なカバレッジ品質を有することを備え、前記方法はさらに、
前記条件が存在するとの前記決定の後に、前記音声呼を前記パケット交換ネットワークから前記回線交換ネットワークへ切り換えることをユーザに促すことと、
前記音声呼を前記パケット交換ネットワークから前記回線交換ネットワークへ切り換えるための入力を前記ユーザから受信することと、ここにおいて、前記音声呼を前記パケット交換ネットワークから前記回線交換ネットワークへ前記切り換えることは、前記ユーザ入力が受信された後に起こり、単一無線音声呼継続（ＳＲＶＣＣ）シグナリングを介して実行される、
を備える、請求項１に記載の方法。
【請求項１１】
ユーザ装置（ＵＥ）によるワイヤレス通信のための装置であって、前記装置は、
第１のネットワークを使用して音声呼を開始するための手段と、
条件が存在することを決定するための手段と、
前記条件が存在するとの前記決定の後に、前記音声呼を前記第１のネットワークから第２のネットワークへ切り換えるための手段と、
を備える、装置。
【請求項１２】
前記第１のネットワークはパケット交換ネットワークであり、前記第２のネットワークは回線交換ネットワークであり、前記装置はさらに、
前記ＵＥのバッテリ電力レベルがしきい値電力レベルよりも低いことを決定するための手段と、
前記ＵＥの前記バッテリ電力レベルが前記しきい値電力レベルよりも低い時、前記音声呼以外のすべてのデータサービスをディセーブルにするための手段と、
前記音声呼以外何れのデータアクティビティも実施されないことを決定するための手段と、
決定するための前記手段が前記音声呼以外何れのデータアクティビティも実施されないと決定した後に、前記パケット交換ネットワークに必要な第１の送信電力と前記回線交換ネットワークに必要な第２の送信電力とを決定するための手段と、を備え、
前記条件は、前記第２の送信電力が前記第１の送信電力より小さいことを備える、請求項１１に記載の装置。
【請求項１３】
前記第１のネットワークは回線交換ネットワークであり、前記第２のネットワークはパケット交換ネットワークであり、および前記条件は、前記パケット交換ネットワークが改善されたカバレッジ品質を有することを備え、前記装置はさらに、
前記条件が存在するとの前記決定の後に、前記音声呼を前記回線交換ネットワークから前記パケット交換ネットワークへ切り換えることをユーザに促すための手段と、
前記音声呼を前記回線交換ネットワークから前記パケット交換ネットワークへ切り換えるための入力を前記ユーザから受信するための手段と、を備え、
切り換えるための前記手段は、前記ユーザ入力が受信された後に、前記音声呼を前記回線交換ネットワークから前記パケット交換ネットワークへ切り換えるように構成される、請求項１１に記載の装置。
【請求項１４】
前記第１のネットワークは回線交換ネットワークであり、前記第２のネットワークはパケット交換ネットワークであり、
前記条件は、前記パケット交換ネットワークが改善されたカバレッジ品質を有することを備え、
切り換えるための前記手段は、無線リソース制御（ＲＲＣ）シグナリングを使用して、前記音声呼を前記回線交換ネットワークから前記パケット交換ネットワークへ切り換えるように構成される、請求項１１に記載の装置。
【請求項１５】
前記第１のネットワークは回線交換ネットワークであり、前記第２のネットワークはパケット交換ネットワークであり、
前記パケット交換ネットワークは、前記音声呼が前記回線交換ネットワークを使用して開始される時、前記音声呼のために利用不可能であり、
前記条件は、前記回線交換ネットワークが低下したカバレッジ品質を有し、かつ、前記パケット交換ネットワークが前記音声呼のために利用可能になること、を備える、請求項１１に記載の装置。
【請求項１６】
ユーザ装置（ＵＥ）によるワイヤレス通信のための装置であって、前記装置は、
メモリと、
前記メモリに結合される少なくとも１つのプロセッサとを備え、前記少なくとも１つのプロセッサは、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を行うように構成される、
装置。
【請求項１７】
前記第１のネットワークはパケット交換ネットワークであり、前記第２のネットワークは回線交換ネットワークであり、前記少なくとも１つのプロセッサはさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないことを決定した後に、前記パケット交換ネットワークに必要な第１の送信電力と前記回線交換ネットワークに必要な第２の送信電力とを決定することと、
を行うように構成され、
前記条件は、前記第２の送信電力が前記第１の送信電力より小さいことを備える、請求項１６に記載の装置。
【請求項１８】
前記第１のネットワークは回線交換ネットワークであり、前記第２のネットワークはパケット交換ネットワークであり、および前記条件は、前記パケット交換ネットワークが改善されたカバレッジ品質を有することを備え、前記少なくとも１つのプロセッサはさらに、
前記条件が存在するとの前記決定の後に、前記音声呼を前記回線交換ネットワークから前記パケット交換ネットワークへ切り換えることをユーザに促すことと、
前記音声呼を前記回線交換ネットワークから前記パケット交換ネットワークへ切り換えるための入力を前記ユーザから受信することと、
を行うように構成され、
前記少なくとも１つのプロセッサは、前記ユーザ入力が受信された後に、前記音声呼を前記回線交換ネットワークから前記パケット交換ネットワークへ切り換えるように構成される、請求項１６に記載の装置。
【請求項１９】
前記第１のネットワークは回線交換ネットワークであり、前記第２のネットワークはパケット交換ネットワークであり、
前記条件は、前記パケット交換ネットワークが改善されたカバレッジ品質を有することを備え、
前記少なくとも１つのプロセッサは、無線リソース制御（ＲＲＣ）シグナリングを使用して前記音声呼を前記回線交換ネットワークから前記パケット交換ネットワークへ切り換えるように構成される、請求項１６に記載の装置。
【請求項２０】
ユーザ装置（ＵＥ）によるワイヤレス通信のためのコンピュータプログラム製品であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を行うためのコードを備えるコンピュータ読み取り可能な媒体を備える、
コンピュータプログラム製品。
【発明の詳細な説明】
【優先権の主張】
【０００１】
関連出願の相互参照
本出願は、「ＣＳ音声呼の間にＨＤ音声（ＶｏＬＴＥ）呼を選択するための方法および装置（METHOD AND APPARATUS FOR SELECTING HD VOICE (VOLTE) CALLS OVER CS VOICE CALLS）」と題され、２０１３年６月２８日に出願された米国仮出願第６１／８４１，２５６号明細書、および「ＣＳ音声呼の間にＨＤ音声（ＶｏＬＴＥ）呼を選択するための方法および装置（METHOD AND APPARATUS FOR SELECTING HD VOICE (VOLTE) CALLS OVER CS VOICE CALLS）」と題され、２０１４年２月４日に出願された米国非仮出願第１４／１７２，８２５号明細書の利益を主張し、それらは、参照によって、ここに全体が明示的に組み込まれる。
【技術分野】
【０００２】
本開示は、一般に通信システムに関し、より具体的には、回線交換ネットワークとパケット交換ネットワークとの間の選択のための方法および装置に関する。
【背景技術】
【０００３】
[0003]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、都市、国家、地域、さらには地球規模で通信することを可能にする共通プロトコルを提供するために、様々な電気通信規格において採用されてきた。新興の電気通信規格の例が、ロングタームエボリューション（ＬＴＥ）である。ＬＴＥは、第３世代パートナーシッププロジェクト（３ＧＰＰ）によって公表されたユニバーサルモバイル電気通信システム（ＵＭＴＳ）モバイル規格の拡張セットである。それは、スペクトル効率を改善すること、コストを下げること、サービスを向上させること、新たなスペクトラムを利用すること、および、下りリンク（ＤＬ）にＯＦＤＭＡを、上りリンク（ＵＬ）にＳＣ−ＦＤＭＡを使用し、多入力多出力（ＭＩＭＯ）アンテナ技術を使用して、より適切に他のオープンスタンダードに組み込むことによって、モバイルブロードバンドインターネットアクセスをより快適にサポートするように設計されている。しかしながら、モバイルブロードバンドアクセスに対する需要が増大し続けるにつれて、ＬＴＥ技術におけるさらなる改良の必要性が存在する。望ましくは、これらの改良は、これらの技術を用いる他の多重アクセス技術および電気通信規格に適用可能であるべきである。
【発明の概要】
【０００５】
[0005]  本開示のある態様では、方法、コンピュータプログラム製品および装置が提供される。この装置は、ユーザ装置（ＵＥ）であり得る。ＵＥは、第１のネットワークを使用して音声呼（voice call）を開始し、条件が存在することを決定し、およびその条件が存在するというその決定の後に、その音声呼を第１のネットワークから第２のネットワークへ切り換え得る。いくつかの構成では、第１のネットワークはパケット交換ネットワークであり、第２のネットワークは回線交換ネットワークである。いくつかの他の構成では、第１のネットワークはパケット交換ネットワークであり、第２のネットワークは回線交換ネットワークである。
【図面の簡単な説明】
【０００６】
【図１】図１は、ネットワークアーキテクチャの例を例示する図である。
【図２】図２は、アクセスネットワークの例を例示する図である。
【図３】図３は、ＬＴＥにおけるＤＬフレーム構造の例を例示する図である。
【図４】図４は、ＬＴＥにおけるＵＬフレーム構造の例を例示する図である。
【図５】図５は、ユーザおよび制御プレーンに関する無線プロトコルアーキテクチャの例を例示する図である。
【図６】図６は、アクセスネットワークにおける発展型ノードＢおよびユーザ装置の例を例示する図である。
【図７Ａ】図７Ａは、例示的な方法を例示する第１の図である。
【図７Ｂ】図７Ｂは、ＵＥの様々なバッテリ電力を例示する図である。
【図７Ｃ】図７Ｃは、様々なネットワークへの送信電力を例示する図である。
【図８Ａ】図８Ａは、例示的な方法を例示する第２の図である。
【図８Ｂ】図８Ｂは、様々な時間における様々なネットワークのカバレッジ品質を例示する図である。
【図８Ｃ】図８Ｃは、様々な時間における様々なネットワークのカバレッジ品質を例示する図である。
【図９】図９は、例示的な方法の第１のフローチャートである。
【図１０】図１０は、例示的な方法の第２のフローチャートである。
【図１１】図１１は、例示的な方法の第３のフローチャートである。
【図１２】図１２は、例示的な装置における、異なるモジュール／手段／コンポーネント間のデータフローを例示する概念的データフロー図である。
【図１３】図１３は、処理システムを用いる装置のためのハードウェア実装の例を例示する図である。
【詳細な説明】
【０００７】
[0022]  添付の図面に関連して以下に説明する詳細な説明は、様々な構成の説明として意図されているものであり、ここに説明される概念が実施され得る唯一の構成を表すように意図されてはいない。詳細な説明は、様々な概念の徹底的な理解を提供することを目的として特定の詳細を含む。しかしながら、これらの概念がこれらの特定の詳細なしに実施され得ることは、当業者に明らかであるだろう。いくつかの例では、そのような概念をあいまいにすることを避けるために、周知の構造およびコンポーネントが、ブロック図の形態で示される。
【０００８】
[0023]  電気通信システムのいくつかの態様が、これから様々な装置および方法に関連して提示されることになる。これらの装置および方法は、続く詳細な説明の中で説明され、（「要素」と総称される）様々なブロック、モジュール、コンポーネント、回路、ステップ、プロセス、アルゴリズムなどによって、添付図面に例示される。これらの要素は、電子ハードウェア、コンピュータソフトウェア、またはこれらの任意の組み合わせを使用して実現され得る。このような要素が、ハードウェアとして実現されるか、あるいはソフトウェアとして実現されるかは、特定の用途およびシステム全体に課せられる設計制約に依存する。
【０００９】
[0024]  例として、要素、またはある要素の任意の部分、または複数の要素の任意の組み合わせは、１つ以上のプロセッサを含む「処理システム」を用いて実現され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明する様々な機能性（functionality）を実行するように構成された他の好適なハードウェアを含む。処理システムにおける１つ以上のプロセッサは、ソフトウェアを実行し得る。ソフトウェアは、ソフトウェア、ファームウェア、ミドルウェア、マイクロコード、ハードウェア記述言語などの名称に関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されるべきである。
【００１０】
[0025]  結果的に、１つ以上の例示的な実施形態では、説明される機能は、ハードウェア、ソフトウェア、ファームウェア、またはそれらの任意の組み合わせで実現され得る。ソフトウェアで実現される場合、これら機能は、コンピュータ読み取り可能な媒体上で、１つ以上の命令またはコードとして記憶または符号化され得る。コンピュータ読み取り可能な媒体は、コンピュータ記憶媒体を含む。記憶媒体は、コンピュータによってアクセスされることができる任意の利用可能な媒体であり得る。限定ではなく例として、このようなコンピュータ読み取り可能な媒体は、ランダムアクセスメモリ（ＲＡＭ）、読取専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置またはその他の磁気記憶デバイス、あるいは、データ構造または命令の形式で所望のプログラムコードを搬送または記憶するために使用可能であり、かつコンピュータによってアクセスされることができるその他任意の媒体を備えることができる。ここで使用される場合、ディスク（ｄｉｓｋ）およびディスク（ｄｉｓｃ）は、ＣＤ、レーザーディスク（登録商標）、光ディスク、デジタル多目的ディスク（ＤＶＤ）、フロッピー（登録商標）ディスクを含み、ここで、ディスク（ｄｉｓｋ）は、通常磁気的にデータを再生し、一方ディスク（ｄｉｓｃ）は、レーザーを用いて光学的にデータを再生する。上記の組み合わせもまた、コンピュータ読み取り可能な媒体の範囲内に含まれるべきである。
【００１１】
[0026]  図１は、ＬＴＥネットワークアーキテクチャ１００を例示する図である。ＬＴＥネットワークアーキテクチャ１００は、発展型パケットシステム（ＥＰＳ：Evolved Packet System）１００と称され得る。ＥＰＳ１００は、１つ以上のユーザ装置（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのインターネットプロトコル（ＩＰ）サービス１２２を含み得る。ＥＰＳは、他のアクセスネットワークと相互接続することができるが、簡潔さのために、それらのエンティティ／インタフェースは示されていない。示されているように、ＥＰＳは、パケット交換サービスを提供するが、当業者が容易に理解することになるように、本開示の全体にわたって提示される様々な概念は、回線交換サービスを提供するネットワークに拡張され得る。
【００１２】
[0027]  Ｅ−ＵＴＲＡＮは、発展型ノードＢ（ｅＮＢ）１０６および他のｅＮＢ１０８を含む。ｅＮＢ１０６は、ＵＥ１０２に対して、ユーザおよび制御プレーンプロトコル終端（termination）を提供する。ｅＮＢ１０６は、バックホール（例えば、Ｘ２インタフェース）を介して、他のｅＮＢ１０８に接続され得る。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語でも呼ばれ得る。ｅＮＢ１０６は、ＵＥ１０２にＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、または任意の他の同様に機能するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得る。
【００１３】
[0028]  ｅＮＢ１０６は、ＥＰＣ１１０に接続される。ＥＰＣ１１０は、モビリティ管理エンティティ（ＭＭＥ）１１２、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含み得る。ＭＭＥ１１２は、ＵＥ１０２とＥＰＣ１１０の間のシグナリングを処理する制御ノードである。一般に、ＭＭＥ１１２は、ベアラおよび接続管理を提供する。すべてのユーザＩＰパケットは、サービングゲートウェイ１１６を通じて転送され、それはそれ自体がＰＤＮゲートウェイ１１８に接続されている。ＰＤＮゲートウェイ１１８は、ＵＥ  ＩＰアドレス割り振りのみならず、他の機能も提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）を含み得る。ＢＭ−ＳＣ１２６は、ＭＢＭＳユーザサービスプロビジョニングおよび配信（delivery）のための機能を提供し得る。ＢＭ−ＳＣ１２６は、コンテンツプロバイダＭＢＭＳ送信のためのエントリポイントとしての役目を果たし、ＰＬＭＮ内のＭＢＭＳベアラサービスを認可（authorize）および開始するために使用され得、ＭＢＭＳ送信をスケジュールおよび配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを分配するために使用され得、セッション管理（開始／停止）およびｅＭＢＭＳ関連課金情報を集めることを担い得る。
【００１４】
[0029]  図２は、ＬＴＥネットワークアーキテクチャにおけるアクセスネットワーク２００の例を例示する図である。この例では、アクセスネットワーク２００は、多数のセルラ領域（セル）２０２に分割されている。１つ以上の、より低い電力クラスのｅＮＢ２０８は、セル２０２のうちの１つ以上とオーバーラップするセルラ領域２１０を有し得る。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ２０４は各々、それぞれのセル２０２に割り当てられ、複数のセル２０２中のすべてのＵＥ２０６のためにＥＰＣ１１０へのアクセスポイントを提供するよう構成される。アクセスネットワーク２００のこの例には集中型（centralized）コントローラは存在しないが、代替の構成では、集中型コントローラが使用され得る。ｅＮＢ２０４は、無線ベアラ制御、アドミッション制御、モビリティ制御、スケジューリング、セキュリティ、およびサービングゲートウェイ１１６への接続性を含む、すべての無線に関連する機能（radio related function）を担う。ｅＮＢは、（セクタとも呼ばれる）１つまたは複数（例えば、３つ）のセルをサポートし得る。「セル」という用語は、特定のカバレッジエリアをサービスしているｅＮＢサブシステムおよび／またはｅＮＢの最小のカバレッジエリアを称すことができる。さらに、「ｅＮＢ」、「基地局」、および「セル」という用語は、ここで交換可能に使用され得る。
【００１５】
[0030]  アクセスネットワーク２００によって用いられる変調および多元接続スキームは、展開されている特定の電気通信規格に応じて異なり得る。ＬＴＥアプリケーションでは、ＯＦＤＭがＤＬで使用され、ＳＣ−ＦＤＭＡがＵＬで使用されて、周波数分割複信（ＦＤＤ）および時分割複信（ＴＤＤ）の両方をサポートする。以下に続く詳細な説明から当業者が容易に理解するように、ここに提示される様々な概念は、ＬＴＥアプリケーションによく適している。しかしながら、これらの概念は、他の変調および多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリの一部として、第３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）に拡張され得る。ＵＴＲＡ、Ｅ−ＵＴＲＡ、ＵＭＴＳ、ＬＴＥ、およびＧＳＭは、３ＧＰＰ団体からの文書に説明されている。ＣＤＭＡ２０００およびＵＭＢは、３ＧＰＰ２団体からの文書に説明されている。用いられる実際のワイヤレス通信規格および多元接続技術は、特定の用途およびシステムに課された全体的な設計制約に依存することになる。
【００１６】
[0031]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を活用することを可能にする。空間多重化は、異なるデータストリームを同一の周波数で同時に送信するために使用され得る。データストリームは、データレートを増加させるために単一のＵＥ２０６に、または、全体的なシステム容量を増加させるために複数のＵＥ２０６に、送信され得る。これは、各データストリームを空間的にプリコーディングし（すなわち、振幅および位相のスケーリングを適用し）、その後、ＤＬ上で複数の送信アンテナを通して、各空間的にプリコーディングされたストリームを送信することによって、達成される。空間的にプリコーディングされたデータストリームは、異なる空間シグネチャとともにＵＥ２０６（１つまたは複数の）へと到達し、これにより、ＵＥ２０６（１つまたは複数の）の各々がそのＵＥ２０６を宛先とする１つ以上のデータストリームを復元（recover）することが可能になる。ＵＬにおいて、各ＵＥ２０６は、空間的にプリコーディングされたデータストリームを送信し、これは、ｅＮＢ２０４が各空間的にプリコーディングされたデータストリームのソースを識別することを可能にする。
【００１７】
[0032]  空間多重化は、一般にチャネル状態が良好な場合に使用される。チャネル状態が良好とは言えない時には、１つまたはそれより多くの方向に送信エネルギーを集中させるためにビームフォーミングが使用され得る。これは、複数のアンテナを通じた送信のためにデータを空間的にプリコーディングすることによって達成され得る。セルのエッジにおいて優れたカバレッジを達成するために、シングルストリームビームフォーミング送信が、送信ダイバーシティと組み合わせて使用され得る。
【００１８】
[0033]  以下の詳細な説明では、アクセスネットワークの様々な態様が、ＤＬ上でＯＦＤＭをサポートするＭＩＭＯシステムに関連して説明されることになる。ＯＦＤＭは、ＯＦＤＭシンボル内のいくつかのサブキャリアにわたってデータを変調するスペクトル拡散技法である。これらサブキャリアは、正確な周波数離れて一定の間隔で配置される。この間隔をあけること（spacing）は、受信機がこれらサブキャリアからのデータを復元することを可能にする「直交性」を提供する。時間領域では、ＯＦＤＭシンボル間干渉に対抗するために、各ＯＦＤＭシンボルにガードインターバル（例えば、サイクリックプリフィックス）が追加され得る。ＵＬは、高いピーク対平均電力比（ＰＡＰＲ：peak-to-average power ratio）を補償する（compensate for）ために、ＤＦＴ拡散されたＯＦＤＭ信号（DFT-spread OFDM signal）の形態でＳＣ−ＦＤＭＡを使用し得る。
【００１９】
[0034]  図３は、ＬＴＥにおけるＤＬフレーム構造の例を例示する図３００である。フレーム（１０ｍｓ）は、１０個の等しいサイズのサブフレームに分割され得る。各サブフレームは、２つの連続するタイムスロットを含み得る。１つのリソースグリッドが２つのタイムスロットを表すために使用され得、各タイムスロットは、１つのリソースブロックを含む。リソースグリッドは、複数のリソース要素に分割される。ＬＴＥでは、１つのリソースブロックは、周波数領域に１２個の連続するサブキャリア、および各ＯＦＤＭシンボルにおける１つのノーマルなサイクリックプリフィクスについては、時間領域に７個の連続するＯＦＤＭシンボルを含み、すなわち８４個のリソース要素を含む。拡張サイクリックプリフィクスについては、１つのリソースブロックは、時間領域に６個の連続するＯＦＤＭシンボルを含み、７２個のリソース要素を有する。Ｒ３０２、３０４として示される、複数のリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は、変調スキームに依存する。したがって、ＵＥが受信するリソースブロックが多いほど、および、変調スキームが高いほど、ＵＥのためのデータレートはより高くなる。
【００２０】
[0035]  図４は、ＬＴＥにおけるＵＬフレーム構造の例を例示する図４００である。ＵＬのために利用可能なリソースブロックは、データセクションと制御セクションとに区分され得る。制御セクションは、システム帯域幅の２つのエッジに形成され得、設定可能なサイズを有し得る。制御セクションにおけるリソースブロックは、制御情報の送信のためにＵＥに割り当てられ得る。データセクションは、制御セクションに含まれないすべてのリソースブロックを含み得る。このＵＬフレーム構造は、連続したサブキャリアを含むデータセクションをもたらし、それは単一のＵＥがデータセクションにおける連続したサブキャリアのすべてを割り当てられることを可能にし得る。
【００２１】
[0036]  ＵＥは、ｅＮＢに制御情報を送信するために、制御セクションにおけるリソースブロック４１０ａ、４１０ｂを割り当てられ得る。ＵＥはまた、ｅＮＢにデータを送信するために、データセクションにおけるリソースブロック４２０ａ、４２０ｂを割り当てられ得る。ＵＥは、制御セクションにおける割り当てられたリソースブロック上の物理ＵＬ制御チャネル（ＰＵＣＣＨ）において制御情報を送信し得る。ＵＥは、データセクション中の割り当てられたリソースブロック上の物理ＵＬ共有チャネル（ＰＵＳＣＨ）において、データのみ、またはデータおよび制御情報の両方を送信し得る。ＵＬ送信は、サブフレームの両方のスロットにまたがり得（span）、周波数にわたってホッピングし得る。
【００２２】
[0037]  複数のリソースブロックのあるセットが、最初のシステムアクセスを実行し、および物理ランダムアクセスチャネル（ＰＲＡＣＨ）４３０においてＵＬ同期を達成するために使用され得る。ＰＲＡＣＨ４３０は、ランダムシーケンスを搬送するが、何れのＵＬデータ／シグナリングも搬送することはできない。各ランダムアクセスプリアンブルは、６個の連続するリソースブロックに対応する帯域幅を占有する。開始周波数（starting frequency）は、ネットワークによって規定される。すなわち、ランダムアクセスプリアンブルの送信は、ある特定の時間および周波数リソースに制限される。ＰＲＡＣＨについては周波数ホッピングは存在しない。ＰＲＡＣＨ試行（PRACH attempt）は、単一のサブフレーム（１ｍｓ）において、または少数の連続したサブフレームのシーケンスにおいて搬送され、ＵＥは、１フレーム（１０ｍｓ）ごとに単一のＰＲＡＣＨ試行だけを行うことができる。
【００２３】
[0038]  図５は、ＬＴＥにおけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実現する。Ｌ１レイヤは、ここで物理レイヤ５０６と呼ばれることになる。レイヤ２（Ｌ２レイヤ）５０８は、物理レイヤ５０６より上位にあり、物理レイヤ５０６を介したＵＥとｅＮＢとの間のリンクを担う。
【００２４】
[0039]  ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端の（far end）ＵＥ、サーバなど）において終端されるアプリケーションレイヤとを含む、Ｌ２レイヤ５０８より上位のいくつかの上位レイヤを有し得る。
【００２５】
[0040]  ＰＤＣＰサブレイヤ５１４は、異なる無線ベアラと論理チャネルとの間の多重化を提供する。ＰＤＣＰサブレイヤ５１４はまた、無線送信オーバヘッドを低減するための上位レイヤデータパケットのためのヘッダ圧縮、データパケットを暗号化することによるセキュリティ、およびｅＮＢ間でのＵＥのためのハンドオーバサポートを提供する。ＲＬＣサブレイヤ５１２は、上位レイヤデータパケットのセグメンテーションおよび再組立て（reassembly）と、損失データパケットの再送信と、ハイブリッド自動再送要求（ＨＡＲＱ：hybrid automatic repeat request）による順序がバラバラの受信を補償するデータパケットの並べ替えとを提供する。ＭＡＣサブレイヤ５１０は、論理チャネルおよびトランスポートチャネルの間の多重化を提供する。ＭＡＣサブレイヤ５１０はまた、複数のＵＥの間で１つのセルにおける様々な無線リソース（例えば、リソースブロック）を割り振ることを担う。ＭＡＣサブレイヤ５１０はまた、ＨＡＲＱ動作も担う。
【００２６】
[0041]  制御プレーンでは、ｅＮＢおよびＵＥのための無線プロトコルアーキテクチャは、制御プレーンについてはヘッダ圧縮機能がないことを除いて、物理レイヤ５０６およびＬ２レイヤ５０８については実質的に同じである。制御プレーンはまた、レイヤ３（Ｌ３レイヤ）に無線リソース制御（ＲＲＣ）サブレイヤ５１６を含む。ＲＲＣサブレイヤ５１６は、無線リソース（例えば、無線ベアラ）を取得することと、ｅＮＢとＵＥとの間でＲＲＣシグナリングを使用して下位レイヤを構成することとを担う。
【００２７】
[0042]  図６は、あるアクセスネットワークにおいてＵＥ６５０と通信しているｅＮＢ６１０のブロック図である。ＤＬでは、コアネットワークからの上位レイヤパケットが、コントローラ／プロセッサ６７５に提供される。コントローラ／プロセッサ６７５は、Ｌ２レイヤの機能性を実現する。ＤＬでは、コントローラ／プロセッサ６７５は、様々な優先順位メトリック（priority metrics）に基づいたＵＥ６５０への無線リソースの割り振り、論理チャネルとトランスポートチャネルの間の多重化、パケットのセグメンテーションおよび並べ替え、暗号化、およびヘッダ圧縮を提供する。コントローラ／プロセッサ６７５はまた、ＨＡＲＱ動作、損失パケットの再送信、およびＵＥ６５０へのシグナリングを担う。
【００２８】
[0043]  送信（ＴＸ）プロセッサ６１６は、Ｌ１レイヤ（すなわち、物理レイヤ）のための様々な信号処理機能を実現する。信号処理機能は、ＵＥ６５０における前方誤り訂正（ＦＥＣ：forward error correction）を容易にするために符号化およびインタリーブすることと、様々な変調スキーム（例えば、２相位相シフトキーイング（ＢＰＳＫ：binary phase-shift keying）、４相位相シフトキーイング（ＱＰＳＫ：quadrature phase-shift keying）、Ｍ相位相シフトキーイング（Ｍ−ＰＳＫ：M-phase-shift keying）、Ｍ値直交振幅変調（Ｍ−ＱＡＭ：M-quadrature amplitude modulation））に基づいて信号コンステレーション（signal constellation）へマッピングすることと、を含む。その後、符号化および変調されたシンボルは、並列ストリーム（parallel streams）に分けられる。その後、各ストリームは、ＯＦＤＭサブキャリアにマッピングされ、時間および／または周波数領域において基準信号（例えば、パイロット）と多重化され、その後、逆高速フーリエ変換（ＩＦＦＴ：Inverse Fast Fourier Transform）を使用して結合（combine）され、時間領域ＯＦＤＭシンボルストリームを搬送する物理チャネルを作り出す。ＯＦＤＭストリームは、複数の空間ストリームを作り出すために空間的にプリコーディングされる。チャネル推定器６７４からのチャネル推定値が、符号化および変調スキームを決定するため、並びに空間処理のために使用され得る。チャネル推定値は、ＵＥ６５０によって送信されたチャネル状態フィードバックおよび／または基準信号から導出され得る。そして、各空間ストリームは、別個の送信機６１８ＴＸを介して異なるアンテナ６２０に提供され得る。各送信機６１８ＴＸは、送信のためにそれぞれの空間ストリームでＲＦキャリアを変調し得る。
【００２９】
[0044]  ＵＥ６５０において、各受信機６５４ＲＸは、そのそれぞれのアンテナ６５２を通じて信号を受信する。各受信機６５４ＲＸは、ＲＦキャリア上に変調された情報を復元し、受信（ＲＸ）プロセッサ６５６にこの情報を提供する。ＲＸプロセッサ６５６は、Ｌ１レイヤの様々な信号処理機能を実現する。ＲＸプロセッサ６５６は、ＵＥ６５０を宛先とする任意の空間ストリームを復元するために、この情報に対して空間処理を実行し得る。複数の空間ストリームがＵＥ６５０を宛先とする場合、それらは、ＲＸプロセッサ６５６によって単一のＯＦＤＭシンボルストリームに結合（combine）され得る。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号の各サブキャリアについて別個のＯＦＤＭシンボルストリームを備える。各サブキャリア上のシンボル、および基準信号は、ｅＮＢ６１０によって送信された最も可能性の高い（most likely）信号コンステレーションポイントを決定することによって復元および復調される。これらの軟判定（soft decision）は、チャネル推定器６５８によって計算されるチャネル推定値に基づき得る。その後、軟判定は、物理チャネル上でｅＮＢ６１０によって本来送信された制御信号およびデータを復元するために、復号およびデインタリーブされる。その後、データおよび制御信号は、コントローラ／プロセッサ６５９に提供される。
【００３０】
[0045]  コントローラ／プロセッサ６５９は、Ｌ２レイヤを実現する。コントローラ／プロセッサは、プログラムコードおよびデータを記憶するメモリ６６０に関連付けられることができる。メモリ６６０は、コンピュータ読み取り可能な媒体と呼ばれ得る。ＵＬでは、コントローラ／プロセッサ６５９は、コアネットワークからの上位レイヤパケットを復元するために、トランスポートチャネルと論理チャネルの間の逆多重化、パケットの再組立て（packet reassembly）、暗号解読（deciphering）、ヘッダ復元（header decompression）、制御信号処理を提供する。その後、上位レイヤパケットはデータシンク６６２に提供され、それはＬ２レイヤより上位のすべてのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００３１】
[0046]  ＵＬでは、データソース６６７が、コントローラ／プロセッサ６５９に上位レイヤパケットを提供するために使用される。データソース６６７は、Ｌ２レイヤより上位のすべてのプロトコルレイヤを表す。ｅＮＢ６１０によるＤＬ送信に関して説明された機能性と同様に、コントローラ／プロセッサ６５９は、ｅＮＢ６１０による無線リソース割り振りに基づいた論理チャネルとトランスポートチャネルの間の多重化、パケットセグメンテーションおよび並べ替え、暗号化、およびヘッダ圧縮を提供することによって、ユーザプレーンおよび制御プレーンのためのＬ２レイヤを実現する。コントローラ／プロセッサ６５９はまた、ＨＡＲＱ動作、損失パケットの再送信、ｅＮＢ６１０へのシグナリングを担う。
【００３２】
[0047]  ｅＮＢ６１０によって送信されたフィードバックまたは基準信号からチャネル推定器６５８によって導出されたチャネル推定値は、ＴＸプロセッサ６６８によって、適切な符号化および変調スキームを選択し、および空間処理を容易にするために使用され得る。ＴＸプロセッサ６６８によって生成された空間ストリームは、別個の送信機６５４ＴＸを介して異なるアンテナ６５２に提供され得る。各送信機６５４ＴＸは、送信のためにそれぞれの空間ストリームでＲＦキャリアを変調し得る。
【００３３】
[0048]  ＵＬ送信は、ＵＥ６５０における受信機機能に関して説明されたものと同様の方法でｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０にこの情報を提供する。ＲＸプロセッサ６７０は、Ｌ１レイヤを実現し得る。
【００３４】
[0049]  コントローラ／プロセッサ６７５は、Ｌ２レイヤを実現する。コントローラ／プロセッサ６７５は、プログラムコードおよびデータを記憶するメモリ６７６に関連付けられることができる。メモリ６７６は、コンピュータ読み取り可能な媒体と呼ばれ得る。ＵＬでは、コントロール／プロセッサ６７５は、ＵＥ６５０からの上位レイヤパケットを復元するために、トランスポートチャネルと論理チャネルの間の逆多重化、パケットの再組立て、暗号解読、ヘッダ復元、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用した誤り検出を担う。
【００３５】
[0050]  ＵＥは、パケット交換ネットワーク（例えば、ＬＴＥ）および回線交換ネットワーク（例えば、１ｘＲＴＴ、２Ｇ、３Ｇ）を介して音声呼を行うことが可能であり得る。複数のキャリアが、ＬＴＥネットワークを介した音声呼のためのインターネットプロトコルマルチメディアサブシステム（ＩＭＳ）ネットワークを展開（deploy）し得る。そのような展開（deployment）は、時にボイスオーバＬＴＥ（ＶｏＬＴＥ：voice-over-LTE）音声呼と称され得る。パケット交換ネットワーク（例えば、ＬＴＥ）を使用した音声呼は、回線交換ネットワーク（例えば、１ｘＲＴＴ、２Ｇ、３Ｇ）を使用した音声呼に比べて、より高い音声呼品質を有し得、それは、パケット交換ネットワークでは回線交換ネットワークに比べてより広い帯域幅およびより高いビットレートが利用できること（the availability of greater bandwidth and bit rates）に一部起因する。パケット交換ネットワークは、高精細度（ＨＤ：high-definition）音声呼品質を提供し得、一方、回線交換ネットワークは、標準精細度（ＳＤ：standard-definition）音声呼品質を提供し得る。結果的に、パケット交換ネットワークを使用して音声呼を実行することには強い優先傾向（strong preference）があり得る。しかしながら、例えば、ＬＴＥネットワークに関して、ＶｏＬＴＥ音声呼のためのＩＭＳネットワークカバレッジは、常に利用可能なわけではない可能性がある。したがって、状況によっては、パケット交換ネットワークは音声呼のために利用不可能であり得、ＵＥは、音声呼をパケット交換ネットワークから回線交換ネットワークへ切り換える必要があり得る。他の状況下では、回線交換ネットワークを介した音声呼の最中で、後で（subsequently）パケット交換ネットワークが利用可能になり得、するとＵＥは、より高い音声呼品質を提供するために回線交換ネットワークからパケット交換ネットワークへ切り換え得る。結果的に、当技術では、ＵＥは様々な条件に基づいて、パケット交換ネットワークと回線交換ネットワークとの間で音声呼を切り換えるための決定を行う必要がある。
【００３６】
[0051]  図７Ａは、例示的な方法を例示する第１の図７００である。ＵＥ７０２は、パケット交換ネットワーク７０４を使用して音声呼を開始し、ある条件が存在することを決定し、およびその条件が存在すると決定した後に、音声呼をパケット交換ネットワーク７０４から回線交換ネットワーク７０６へ切り換え得る。
【００３７】
[0052]  １つの態様では、その条件は、パケット交換ネットワーク７０４が粗悪な（poor）カバレッジ品質を有することである。パケット交換ネットワーク７０４が粗悪な（poor）カバレッジ品質を有することを決定した後、ＵＥ７０２は、音声呼をパケット交換ネットワーク７０４から回線交換ネットワーク７０６へ切り換えることをユーザ７０８に促し（prompt）得る。ＵＥ７０２が、音声呼をパケット交換ネットワーク７０４から回線交換７０６ネットワークへ切り換えるための入力をユーザ７０８から受信した後に、音声呼は切り換えられる７１２。音声呼をパケット交換７０４ネットワークから回線交換ネットワーク７０６へ切り換えることは、単一無線音声呼継続（ＳＲＶＣＣ：single radio voice call continuity）シグナリングを使用して実行され得る。
【００３８】
[0053]  しかしながら、切り換えを実行する前にユーザ７０８を促すことおよびユーザ７０８から入力を受信することは、オプションである。例えば、音声呼は、ユーザ７０８を促すことまたはユーザ７０８から入力を受信することなく、パケット交換ネットワーク７０４から回線交換ネットワーク７０６へ切り換えられ得る。
【００３９】
[0054]  別の態様では、音声呼がパケット交換ネットワーク７０４を使用して開始される時、ＵＥ７０２は、ＩＭＳネットワーク７１０から登録解除（deregistered from）される可能性がある。いくつかの構成では、ＵＥ７０２がＩＭＳネットワーク７１０から登録解除される時、ＵＥ７０２は、ＵＥがＩＭＳネットワーク７１０に登録されるまで、パケット交換ネットワーク７０４を介して後続の（subsequent）音声呼を開始し得る。いくつかの他の構成では、ＵＥ７０２がＩＭＳネットワーク７１０から登録解除される時、ＵＥ７０２は、パケット交換ネットワーク７０４を使用した音声呼がドロップされた（is dropped）後に、回線交換ネットワーク７０６を介して後続の音声呼を開始し得る。
【００４０】
[0055]  さらに別の態様では、ＵＥ７０２は、パケット交換ネットワーク７０４が粗悪なカバレッジ品質を有する時、パケット交換ネットワーク７０４を使用して音声呼を開始し得る。例えば、基準信号受信品質（ＲＳＲＱ：reference signal received quality）値が１５以下（15 or lower）の時、粗悪なカバレッジ品質が存在し得る。別の例として、ブロックエラーレート（ＢＬＥＲ：block error rate）値がしきい値よりも高い時、粗悪なカバレッジ品質が存在し得る。パケット交換ネットワーク７０４を使用した音声呼の間に無線リンク障害（ＲＬＦ：radio link failure）が起こった後に、ＵＥ７０２は、回線交換ネットワーク７０６を介して後続の音声呼を開始し得る。
【００４１】
[0056]  図７Ｂは、ＵＥの様々なバッテリ電力を例示する図である。ＵＥ７０２は、ＵＥ７０２のバッテリ電力レベルが、しきい値電力レベルよりも低いことを決定し得る。例えば、図７Ｂに関して、しきい値電力レベルは、レベル７３２である。時間１において、ＵＥの電力レベルはレベル７３４であり、それは、しきい値電力レベルよりも高い。時間２において、ＵＥの電力レベルは、レベル７３６であり、それはしきい値電力レベルよりも低い。ＵＥ７０２のバッテリ電力レベルがしきい値電力レベルよりも低い時、ＵＥ７０２は、音声呼以外のすべてのデータサービスをディセーブル（disable：停止する）し得る。ＵＥ７０２はまた、音声呼以外何れのデータアクティビティ（data activity）も実施されないことを決定し得る。
【００４２】
[0057]  図７Ｃは、様々なネットワークへの送信電力を例示する図である。音声呼以外何れのデータアクティビティも実施されないことを決定した後、ＵＥ７０２は、パケット交換ネットワークに必要な送信電力と回線交換ネットワークに必要な送信電力とを決定し得る。例えば、図７Ｃに関して、パケット交換ネットワーク（ＰＳ  ＮＷ）に必要な送信電力は、レベル７４２である。回線交換ネットワーク（ＣＳ  ＮＷ）に必要な送信電力は、レベル７４４である。いくつかの構成では、条件は、回線交換ネットワークに必要な送信電力がパケット交換ネットワークに必要な電力より小さいことであり得る。結果的に、この条件が満たされる時、ＵＥ７０２は、パケット交換ネットワーク７０４から回線交換ネットワーク７０６へ切り換え得る。
【００４３】
[0058]  図８Ａは、例示的な方法を例示する第２の図である。ＵＥ８０２は、回線交換ネットワーク８０４を使用して音声呼を開始し、ある条件が存在することを決定し、およびその条件が存在すると決定した後に、音声呼を回線交換ネットワーク８０４からパケット交換ネットワーク８０６へ切り換え得る。
【００４４】
[0059]  １つの態様では、その条件は、回線交換ネットワーク８０４を使用して開始された音声呼がドロップされ、かつＵＥ８０２がＩＭＳネットワーク８１０に登録されていることであり得る。結果的に、この条件が満たされる時、ＵＥ８０２は、音声呼を回線交換ネットワーク８０４からパケット交換ネットワーク８０６へ切り換え得る。
【００４５】
[0060]  図８Ｂは、様々な時間における、パケット交換ネットワークのカバレッジ品質を例示する図である。ある態様では、条件は、パケット交換ネットワークが改善されたカバレッジ品質を有することである。パケット交換ネットワークは、ＲＳＲＱが増加するおよび／またはＢＬＥＲが低下する時、増加したカバレッジ品質を有し得る。パケット交換ネットワークのカバレッジ品質は、時間１において、レベル８３０である。時間２において、パケット交換ネットワークのカバレッジ品質は、レベル８３２であり、それはレベル８３０よりも高い。結果的に、パケット交換ネットワークのカバレッジ品質は、時間１から時間２へ改善されている。結果的に、パケット交換ネットワークのカバレッジ品質が改善する時、ＵＥは、音声呼を回線交換ネットワークからパケット交換ネットワークへ切り換え得る。音声呼は、ＲＲＣシグナリングを使用して切り換えられ得る。
【００４６】
[0061]  図８Ｃは、様々な時間における、回線交換ネットワークのカバレッジ品質を例示する図である。ある態様では、その条件は、回線交換ネットワークが低下したカバレッジ品質を有することである。回線交換ネットワークは、ＲＳＲＱが低下するおよび／またはＢＬＥＲが増加する時、低下したカバレッジ品質を有し得る。例えば、図８Ｃに関して、回線交換ネットワークのカバレッジ品質は、時間１において、レベル８４０である。時間２において、回線交換ネットワークのカバレッジ品質は、レベル８４２であり、それはレベル８４０よりも低い。結果的に、回線交換ネットワークのカバレッジ品質は、時間１から時間２へ低下している。図８Ａに関して、回線交換ネットワーク８０４のカバレッジ品質が低下する時、ＵＥ８０２は、音声呼を回線交換ネットワーク８０４からパケット交換ネットワーク８０６へ切り換えることをユーザに促し得る。ＵＥ８０２は、音声呼を回線交換ネットワーク８０４からパケット交換ネットワーク８０６へ切り換えるための入力をユーザから受信し得る。ユーザ入力が受信された後、ＵＥ８０２は、音声呼を回線交換ネットワーク８０４からパケット交換ネットワーク８０６へ切り換え得る。
【００４７】
[0062]  しかしながら、切り換えを実行する前にユーザ８０８を促すことおよびユーザ８０８から入力を受信することは、オプションである。例えば、音声呼は、ユーザ８０８を促すことまたはユーザ８０８から入力を受信することなく、回線交換ネットワーク８０４からパケット交換ネットワーク８０６へ切り換えられ得る。
【００４８】
[0063]  別の態様では、図８Ａに関して、条件は、回線交換ネットワーク８０４が低下したカバレッジ品質を有し、かつパケット交換ネットワーク８０６が音声呼のために利用可能になることである。音声呼が回線交換ネットワーク８０４を使用して開始される時、パケット交換ネットワーク８０６は利用不可能であり得るが、パケット交換ネットワーク８０６は音声呼のために後に利用可能になり得る。回線交換ネットワーク８０４のカバレッジ品質が低下し（上でより詳しく説明されたように）、およびパケット交換ネットワーク８０６が利用可能になる時、ＵＥ８０２は、音声呼を回線交換ネットワーク８０４からパケット交換ネットワーク８０６へ切り換え得る。
【００４９】
[0064]  さらに別の態様では、条件は、回線交換ネットワーク８０４を使用して開始された音声呼がドロップされ、かつＵＥ８０２がＩＭＳネットワーク８１０に登録されていることである。結果的に、この条件が満たされる時、ＵＥ８０２は、回線交換ネットワーク８０４からパケット交換ネットワーク８０６へ切り換え得る。
【００５０】
[0065]  図９は、例示的な方法の第１のフローチャートである。これらの方法は、ＵＥによって実行され得る。ステップ９０２において、ＵＥは第１のネットワークを使用して音声呼を開始し得る。ステップ９０４において、ＵＥはある条件が存在するかどうか決定し得る。その条件が存在しない場合、９０６において、ＵＥは音声呼のために第１のネットワークを使用し続け得る。その条件が存在する場合、９０８において、ＵＥは、音声呼を第１のネットワークから第２のネットワークへ切り換え得る。いくつかの構成では、図７Ａに例示されるように、第１のネットワークはパケット交換ネットワーク７０４であり、第２のネットワークは回線交換ネットワーク７０６である。いくつかの他の構成では、図８Ａに例示されるように、第１のネットワークは回線交換ネットワーク８０４であり、第２のネットワークはパケット交換ネットワーク８０６である。
【００５１】
[0066]  いくつかの構成では、条件は、パケット交換ネットワークが改善されたカバレッジ品質を有することであり得る。パケット交換ネットワークは、ＲＳＲＱが増加するおよび／またはＢＬＥＲが低下する時、増加したカバレッジ品質を有し得る。例えば、図８Ｂに関して、パケット交換ネットワーク８０６のカバレッジ品質は、時間１において、レベル８３０である。時間２において、パケット交換ネットワーク８０６のカバレッジ品質はレベル８３２であり、それはレベル８３０よりも高い。結果的に、パケット交換ネットワーク８０６のカバレッジ品質は時間１から時間２へ改善されている。結果的に、パケット交換ネットワーク８０６のカバレッジ品質が改善する時、ＵＥ８０２は、音声呼を回線交換ネットワーク８０４からパケット交換ネットワーク８０６へ切り換え得る。
【００５２】
[0067]  いくつかの構成では、条件は、回線交換ネットワークが低下したカバレッジ品質を有し、かつ、パケット交換ネットワークが音声呼のために利用可能になることである。例えば、図８Ａに関して、パケット交換ネットワーク８０６は、音声呼が回線交換ネットワーク８０４を使用して開始される時、利用不可能であり得る。音声呼が回線交換ネットワーク８０４を使用して開始された後に、パケット交換ネットワーク８０６が音声呼のために利用可能になり得る。回線交換ネットワーク８０４は、ＲＳＲＱが低下するおよび／またはＢＬＥＲが増加する時、低下したカバレッジ品質を有し得る。例えば、図８Ｃに関して、回線交換ネットワーク８０４のカバレッジ品質は、時間１において、レベル８４０である。時間２において、回線交換ネットワーク８０４のカバレッジ品質はレベル８４２であり、それはレベル８４０よりも低い。この時、回線交換ネットワーク８０６のカバレッジ品質は、時間１から時間２へ低下している。回線交換ネットワーク８０４のカバレッジ品質が低下し、かつパケット交換ネットワーク８０６が利用可能になる時、ＵＥ８０２は、音声呼を回線交換ネットワーク８０４からパケット交換ネットワーク８０６へ切り換え得る。
【００５３】
[0068]  いくつかの構成では、条件は、回線交換ネットワークを使用して開始された音声呼がドロップされ、かつＵＥがＩＭＳネットワークに登録されていることである。例えば、図８Ａに関して、ＵＥ８０２は、回線交換ネットワーク８０４を使用して呼を開始し得る。ＵＥ８０２は、ＵＥ８０２がＩＭＳネットワーク８１０に登録されているかどうか決定し得る。回線交換ネットワーク８０４を使用して開始された音声呼がドロップされ、かつＵＥ８０２がＩＭＳネットワーク８１０に登録されている場合、次にＵＥ８０２は、音声呼を回線交換ネットワーク８０４からパケット交換ネットワーク８０６へ切り換え得る。
【００５４】
[0069]  図９に関して、９１０において、ＵＥは、ＳＲＶＣＣシグナリングまたはＲＲＣシグナリングを使用して、第１のネットワークから第２のネットワークへの切り換えを実行し得る。いくつかの構成では、図７Ａに関して、ＵＥ７０２は、ＳＲＶＣＣシグナリングを使用して、音声呼をパケット交換ネットワーク７０４から回線交換ネットワーク７０６へ切り換え得る。いくつかの構成では、図８Ａに関して、ＵＥ８０２は、ＲＲＣシグナリングを使用して、音声呼を回線交換ネットワーク８０４からパケット交換ネットワーク８０６へ切り換え得る。
【００５５】
[0070]  図９に関して、９１２において、ＵＥは後続の音声呼を開始し得る。例えば、図７Ａに関して、ＵＥ７０２は、音声呼がパケット交換ネットワーク７０４を使用して開始される時、ＩＭＳネットワーク７１０から登録解除される可能性がある。いくつかの構成では、ＵＥ７０２がＩＭＳネットワーク７１０から登録解除される時、ＵＥ７０２は、ＵＥがＩＭＳネットワーク７１０に登録されるまで、パケット交換ネットワーク７０４を介して後続の音声呼を開始し得る。いくつかの他の構成では、ＵＥ７０２がＩＭＳネットワーク７１０から登録解除される時、ＵＥ７０２は、パケット交換ネットワーク７０４を使用した音声呼がドロップされた後に、回線交換ネットワーク７０６を介して後続の音声呼を開始し得る。さらに別の構成では、ＵＥ７０２は、パケット交換ネットワーク７０４を使用した音声呼の間に無線リンク障害（ＲＬＦ）が起こった後に、回線交換ネットワーク７０６を介して後続の音声呼を開始し得る。
【００５６】
[0071]  図１０は、例示的な方法の第２のフローチャートである。１００２において、ＵＥは第１のネットワークを使用して音声呼を開始し得る。１００４において、ＵＥは、上でより詳しく説明されたように、ある条件が存在するかどうか決定し得る。その条件が存在しない場合、１００６において、ＵＥは音声呼のために第１のネットワークを使用し続ける。代替的に、その条件が存在する場合、１００８において、ＵＥは、第１のネットワークから第２のネットワークへ切り換えることをユーザへ促し得る。さらに１０１０において、ＵＥは、第１のネットワークから第２のネットワークへ切り換えるための入力をユーザから受信し得る。しかしながら、上に説明されたように、当業者は、切り換えを実行する前にユーザを促すことおよびユーザから入力を受信することは、オプションであることを理解するだろう。
【００５７】
[0072]  いくつかの構成では、図７Ａに関して、条件は、パケット交換ネットワーク７０４が粗悪なカバレッジ品質を有することであり得る。例えば、ＲＳＲＱ値が１５以下の時、粗悪なカバレッジ品質が存在し得る。別の例として、ＢＬＥＲ値がしきい値よりも高い時、粗悪なカバレッジ品質が存在し得る。パケット交換ネットワーク７０４が粗悪なカバレッジ品質を有する場合、ＵＥ７０２は、音声呼をパケット交換ネットワーク７０４から回線交換ネットワーク７０６へ切り換えることをユーザ７０８へ促し得る。さらに、ＵＥ７０２は、音声呼をパケット交換ネットワーク７０４から回線交換ネットワーク７０６へ切り換えるための入力をユーザ７０８から受信し得る。
【００５８】
[0073]  いくつかの構成では、図８Ａに関して、条件は、パケット交換ネットワーク８０６が改善されたカバレッジ品質を有することであり得る。例えば、ＲＳＲＱが増加するおよび／またはＢＬＥＲが低下する時、改善されたカバレッジ品質が存在し得る。例えば、図８Ｂに関して、パケット交換ネットワーク８０６のカバレッジ品質は、時間１において、レベル８３０である。時間２において、パケット交換ネットワーク８０６のカバレッジ品質は、レベル８３２であり、それはレベル８３０よりも高い。結果的に、パケット交換ネットワーク８０６のカバレッジ品質は、時間１から時間２へ改善されている。パケット交換ネットワーク８０６が改善されたカバレッジ品質を有する場合、ＵＥ８０２は、音声呼を回線交換ネットワーク８０４からパケット交換ネットワーク８０６へ切り換えることをユーザ８０８へ促し得る。さらに、ＵＥ８０２は、音声呼を回線交換ネットワーク８０４からパケット交換ネットワーク８０６へ切り換えるための入力をユーザ８０８から受信し得る。
【００５９】
[0074]  ＵＥが、第１のネットワークから第２のネットワークへ切り換えるための入力をユーザから受信した後に、１０１２において、ＵＥは、上でより詳しく説明されたように、音声呼を第１のネットワークから第２のネットワークへ切り換え得る。
【００６０】
[0075]  図１１は、例示的な方法の第３のフローチャートである。１１０２において、ＵＥは、第１のネットワークを使用して音声呼を開始し得る。１１０４において、ＵＥは、ＵＥのバッテリ電力レベルがしきい値電力レベルよりも低いことを決定し得る。例えば、図７Ｂに関して、しきい値電力レベルはレベル７３２である。時間２において、ＵＥの電力レベルは、レベル７３６であり、それはしきい値電力レベルよりも低い。結果的に、時間２において、ＵＥは、ＵＥのバッテリ電力レベルがしきい値電力レベルよりも低いことを決定し得る。
【００６１】
[0076]  １１０６において、ＵＥは、ＵＥのバッテリ電力レベルがしきい値電力レベルよりも低い時、音声呼以外のすべてのデータサービスをディセーブルにし得る。１１０８において、ＵＥは音声呼以外何れのデータアクティビティも実施されないことを決定し得る。音声呼以外何れのデータアクティビティも実施されないことを決定した後、１１１０において、ＵＥは、第１のネットワークのために必要な送信電力と第２のネットワークのために必要な送信電力とを決定し得る。例えば、図７Ｃに関して、パケット交換ネットワークに必要な送信電力は、レベル７４２である。回線交換ネットワークに必要な送信電力は、レベル７４４である。この例では、回線交換ネットワークに必要な送信電力は、パケット交換ネットワークに必要な送信電力より小さい。
【００６２】
[0077]  １１１２において、ＵＥはある条件が存在するかどうかを決定する。その条件が存在しない場合、１１１４において、ＵＥは音声呼のために第１のネットワークを使用し続ける。代替的に、その条件が存在する場合、１１１６において、ＵＥは、音声呼を第１のネットワークから第２のネットワークへ切り換える。いくつかの構成では、図７Ｃに関して、その条件は、回線交換ネットワーク７０６に必要な送信電力がパケット交換ネットワーク７０４に必要な送信電力より小さいことであり得る。結果的に、回線交換ネットワーク７０６に必要な送信電力がパケット交換ネットワーク７０４に必要な送信電力より小さい時、ＵＥ７０２は、パケット交換ネットワーク７０４から回線交換ネットワーク７０６へ切り換え得る。
【００６３】
[0078]  図１２は、例示的な装置１２０２における異なるモジュール／手段／コンポーネント間のデータフローを例示する概念的なデータフロー図１２００である。この装置１２０２は、ＵＥであり得る。この装置は、受信モジュール１２０４、通信モジュール１２０６、決定モジュール１２０８、制御モジュール１２１０、および送信モジュール１２１２を含む。
【００６４】
[0079]  通信モジュール１２０６は、第１のネットワーク１２５０を使用して音声呼を開始するように構成され得る。決定モジュール１２０８は、ある条件が存在することを決定するように構成され得る。制御モジュール１２１０は、条件が存在するという決定の後に、音声呼を第１のネットワーク１２５０から第２のネットワーク１２６０へ切り換えるように構成され得る。
【００６５】
[0080]  いくつかの構成では、第１のネットワーク１２５０はパケット交換ネットワークであり、第２のネットワーク１２６０は回線交換ネットワークである。決定モジュール１２０８は、ＵＥのバッテリ電力レベルがしきい値電力レベルよりも低いことを決定するようにさらに構成され得る。制御モジュール１２１０は、ＵＥのバッテリ電力レベルがしきい値電力レベルよりも低い時、音声呼以外のすべてのデータサービスをディセーブルするようにさらに構成され得る。決定モジュール１２０８は、音声呼以外何れのデータアクティビティも実施されないことを決定するようにさらに構成され得る。決定モジュール１２０８は、音声呼以外何れのデータアクティビティも実施されないと決定した後に、パケット交換ネットワークに必要な第１の送信電力と回線交換ネットワークに必要な第２の送信電力とを決定するようにさらに構成され得る。そのような構成では、条件は、第２の送信電力が第１の送信電力より小さいことであり得る。
【００６６】
[0081]  いくつかの構成では、第１のネットワーク１２５０は回線交換ネットワークであり、第２のネットワーク１２６０はパケット交換ネットワークであり、および条件は、パケット交換ネットワークが改善されたカバレッジ品質を有することである。送信モジュール１２１２は、条件が存在するという決定の後に、音声呼を回線交換ネットワークからパケット交換ネットワークへ切り換えることをユーザ１２７０に促すように構成され得る。受信モジュール１２０４は、音声呼を回線交換ネットワークからパケット交換ネットワークへ切り換えるための入力をユーザ１２７０から受信するように構成され得る。制御モジュール１２１０は、ユーザ１２７０から入力が受信された後に切り換えを実行するようにさらに構成され得る。
【００６７】
[0082]  いくつかの構成では、第１のネットワーク１２５０は回線交換ネットワークであり、第２のネットワーク１２６０はパケット交換ネットワークであり、および条件は、パケット交換ネットワークが改善されたカバレッジ品質を有することである。制御モジュール１２１０は、音声呼を回線交換ネットワークからパケット交換ネットワークへ、ＲＲＣシグナリングで切り換えを実行するようにさらに構成され得る。
【００６８】
[0083]  いくつかの構成では、第１のネットワーク１２５０は回線交換ネットワークであり、第２のネットワーク１２６０はパケット交換ネットワークであり、音声呼が回線交換ネットワークを使用して開始される時、パケット交換ネットワークは音声呼のために利用不可能であり、および条件は、回線交換ネットワークが低下したカバレッジ品質を有し、かつパケット交換ネットワークが音声呼のために利用可能になることである。
【００６９】
[0084]  いくつかの構成では、第１のネットワーク１２５０は回線交換ネットワークであり、第２のネットワーク１２６０はパケット交換ネットワークであり、および条件は、回線交換ネットワークを使用して開始された音声呼がドロップされ、かつＵＥがＩＭＳネットワークに登録されていることである。
【００７０】
[0085]  いくつかの構成では、音声呼が第１のネットワーク１２５０を使用して開始される時、ＵＥはＩＭＳネットワークから登録解除されており、および通信モジュール１２０６がさらに、ＵＥがＩＭＳネットワークに登録されるまで、第１のネットワークを介して後続の音声呼を開始するように構成される。
【００７１】
[0086]  いくつかの構成では、音声呼が第１のネットワーク１２５０を使用して開始される時、ＵＥはＩＭＳネットワークから登録解除されており、および通信モジュール１２１０がさらに、第１のネットワーク１２５０を使用した音声呼がドロップされた後に、第２のネットワーク１２６０を介して後続の音声呼を開始するように構成される。
【００７２】
[0087]  いくつかの構成では、第１のネットワーク１２５０を使用して開始された音声呼が粗悪なカバレッジ品質を有し、および通信モジュール１２１０がさらに、音声呼の間にＲＬＦが起こった後に、第２のネットワーク１２６０を介して後続の音声呼を開始するように構成される。
【００７３】
[0088]  いくつかの構成では、第１のネットワーク１２５０はパケット交換ネットワークであり、第２のネットワーク１２６０は回線交換ネットワークであり、および条件は、パケット交換ネットワークが粗悪なカバレッジ品質を有することである。送信モジュール１２１２は、条件が存在するという決定の後に、音声呼をパケット交換ネットワークから回線交換ネットワークへ切り換えることをユーザ１２７０に促すようにさらに構成され得る。受信モジュール１２０４は、音声呼をパケット交換ネットワークから回線交換ネットワークへ切り換えるための入力をユーザ１２７０から受信するようにさらに構成され得る。制御モジュール１２１０はさらに、ユーザ入力が受信された後に、音声呼をパケット交換ネットワークから回線交換ネットワークへ切り換えるように、およびその切り換えをＳＲＶＣＣシグナリングを介して実行するように、構成される。
【００７４】
[0089]  この装置は、図９−図１１の前述のフローチャートにおけるアルゴリズムのステップの各々を実行する追加のモジュールを含み得る。したがって、図９−図１１の前述のフローチャートにおける各ステップは、あるモジュールによって実行され得、この装置は、これらのモジュールのうちの１つ以上を含み得る。これらモジュールは、述べられたプロセス／アルゴリズムを実施するように特に構成された１つ以上のハードウェアコンポーネントであるか、述べられたプロセス／アルゴリズムを実行するよう構成されたプロセッサによって実現されるか、プロセッサによる実現のためにコンピュータ読み取り可能な媒体内に記憶されるか、またはこれらの何らかの組み合わせであり得る。
【００７５】
[0090]  図１３は、処理システム１３１４を用いる装置１３００についてのハードウェア実装の例を例示する図である。処理システム１３１４は、概してバス１３２４によって表されるバスアーキテクチャを用いて実装され得る。バス１３２４は、処理システム１３１４の特定の用途および全体的な設計制約に応じて、相互接続バスおよびブリッジをいくつでも含み得る。バス１３２４は、プロセッサ１３０４、モジュール１２０４、１２０６、１２０８、１２１０、１２１２、およびコンピュータ読み取り可能な媒体１３０６によって表される、１つ以上のプロセッサおよび／またはハードウェアモジュールを含む様々な回路を互いにリンクする。バス１３２４はまた、タイミングソース、周辺機器、電圧レギュレータ、および電力管理回路のような、様々な他の回路もリンクさせ得るが、これらは、当該技術で周知であるため、これ以上説明されることはない。
【００７６】
[0091]  処理システム１３１４は、トランシーバ１３１０に結合され得る。トランシーバ１３１０は、１つ以上のアンテナ１３２０に結合される。トランシーバ１３１０は、送信媒体を介して様々な他の装置と通信するための手段を提供する。トランシーバ１３１０は、１つ以上のアンテナ１３２０から信号を受信し、受信された信号から情報を抽出し、抽出された情報を処理システム１３１４に、特に受信モジュール１２０４に、提供する。加えて、トランシーバ１３１０は、処理システム１３１４、特に送信モジュール１２１２から情報を受信し、その受信された情報に基づいて、１つ以上のアンテナ１３２０に適用される信号を生成する。処理システム１３１４は、コンピュータ読み取り可能な媒体１３０６に結合されたプロセッサ１３０４を含む。プロセッサ１３０４は、コンピュータ読み取り可能な媒体１３０６に記憶されたソフトウェアの実行を含む一般的な処理を担う。このソフトウェアは、プロセッサ１３０４によって実行された時、処理システム１３１４に、任意の特定の装置について上記に説明された様々な機能を実行させる。コンピュータ読み取り可能な媒体１３０６はまた、ソフトウェアを実行する際にプロセッサ１３０４によって操作されるデータを記憶するためにも使用され得る。処理システムはさらに、モジュール１２０４、１２０６、１２０８、１２１０および１２１２のうちの少なくとも１つを含む。これらのモジュールは、プロセッサ１３０４上で動作（run）するソフトウェアモジュールか、コンピュータ読み取り可能な媒体１３０６に存在する／記憶されるか、プロセッサ１３０４に結合された１つ以上のハードウェアモジュールか、またはそれらの何らかの組み合わせであり得る。処理システム１３１４は、ＵＥ６５０のコンポーネントであり得、メモリ６６０および／またはＴＸプロセッサ６６８、ＲＸプロセッサ６５６、およびコントローラ／プロセッサ６５９のうちの少なくとも１つを含み得る。
【００７７】
[0092]  １つの構成では、ワイヤレス通信のための装置１２０２／１３００はＵＥであり得る。ＵＥは、第１のネットワークを使用して音声呼を開始するための手段を含む。ＵＥはまた、条件が存在することを決定するための手段を含み得る。ＵＥはまた、条件が存在するという決定の後に、音声呼を第１のネットワークから第２のネットワークへ切り換えるための手段を含み得る。ＵＥはまた、ＵＥのバッテリ電力レベルがしきい値電力レベルよりも低いことを決定するための手段を含み得る。ＵＥはまた、ＵＥのバッテリ電力レベルがしきい値電力レベルよりも低い時、音声呼以外のすべてのデータサービスをディセーブルにするための手段を含み得る。ＵＥはまた、音声呼以外何れのデータアクティビティも実施されないことを決定するための手段を含み得る。ＵＥはまた、音声呼以外何れのデータアクティビティも実施されないことを決定した後に、パケット交換ネットワークに必要な第１の送信電力と回線交換ネットワークに必要な第２の送信電力とを決定するための手段を含み得る。ＵＥはまた、その条件が存在するというその決定の後に、音声呼を回線交換ネットワークからパケット交換ネットワークへ切り換えることをユーザに促すための手段を含み得る。ＵＥはまた、音声呼を回線交換ネットワークからパケット交換ネットワークへ切り換えるための入力をユーザから受信するための手段を含み得る。ＵＥはまた、ＲＲＣシグナリングを使用して、音声呼を回線交換ネットワークからパケット交換ネットワークへ切り換えるための手段を含み得る。ＵＥはまた、ＵＥがＩＭＳネットワークに登録されるまで、第１のネットワークを介して後続の音声呼を開始するための手段を含み得る。ＵＥはまた、第１のネットワークを使用した音声呼がドロップされた後に、第２のネットワークを介して後続の音声呼を開始するための手段を含み得る。ＵＥはまた、音声呼の間にＲＬＦが起こった後に、第２のネットワークを介して後続の音声呼を開始するための手段を含み得る。ＵＥはまた、条件が存在するという決定の後に、音声呼をパケット交換ネットワークから回線交換ネットワークへ切り換えることをユーザに促すための手段を含み得る。ＵＥはまた、音声呼をパケット交換ネットワークから回線交換ネットワークへ切り換えるための入力をユーザから受信するための手段を含み得る。ＵＥはまた、ＳＲＶＣＣシグナリングを介して、音声呼をパケット交換ネットワークから回線交換ネットワークへ切り換えるための手段を含み得る。
【００７８】
[0093]  前述の手段は、前述の手段によって記載された機能を実行するように構成された装置１３００の処理システム１３１４および／または装置１２０２の前述のモジュールのうちの１つ以上であり得る。上記に説明されたように、処理システム１３１４は、ＴＸプロセッサ６６８、ＲＸプロセッサ６５６、およびコントローラ／プロセッサ６５９を含み得る。したがって、１つの構成では、前述の手段は、前述の手段によって記載された機能を実行するよう構成されたＴＸプロセッサ６６８、ＲＸプロセッサ６５６、およびコントローラ／プロセッサ６５９であり得る。
【００７９】
[0094]  開示されたプロセスにおけるステップの特定の順序または階層は、例示的なアプローチの一例であるということが理解される。設計の選好に基づいて、これらのプロセスにおけるステップの特定の順序または階層は並べ換えられ得ることが理解される。さらに、いくつかのステップは、組み合わせられ得るか、または省略され得る。付随の方法の請求項は、様々なステップの要素を見本の順序で提示するが、それらは提示された特定の順序または階層に限定されることを意味してはいない。
【００８０】
[0095]  先の説明は、ここに説明された様々な態様を当業者が実施できるように提供されている。これらの態様に対する様々な変更は、当業者に容易に理解されるものであり、ここに定義された一般的な原理は、他の態様に適用され得る。したがって、請求項は、ここに示される態様に限定されるようには意図されておらず、請求項の文言と一致する最大の範囲を認められるべきであり、ここで、単数形でのある要素への言及は、そのように明確に述べられていない限りは、「１つおよび１つのみ」を意味するのではなく、「１つ以上」を意味するように意図されている。「例示的な（exemplary）」という用語は、ここで「例、実例、または例示としての役割を果たす」という意味で使用される。「例示的」であるとしてここで説明された何れの態様も、必ずしも、他の態様よりも好ましいまたは有利であると解釈されるべきではない。そうでないとの明確な記載がない限り、「何らかの（some）」という用語は、１つ以上を意味する。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの何れの組み合わせも含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のこのような組み合わせは、Ａ、Ｂ、またはＣの１つ以上のメンバーを含み得る。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書における如何なる開示も、そのような開示が特許請求の範囲に明確に記載されているか否かに関わらず、公に捧げられることを意図されてはいない。要素が「〜のための手段」という表現を使用して明確に記載されていない限り、何れの請求項の要素もミーンズプラスファンクションと解釈されるべきではない。
【図１】
2016527782.tif 000003
【図２】
2016527782.tif 000004
【図３】
2016527782.tif 000005
【図４】
2016527782.tif 000006
【図５】
2016527782.tif 000007
【図６】
2016527782.tif 000008
【図７Ａ】
2016527782.tif 000009
【図７Ｂ】
2016527782.tif 000010
【図７Ｃ】
2016527782.tif 000011
【図８Ａ】
2016527782.tif 000012
【図８Ｂ】
2016527782.tif 000013
【図８Ｃ】
2016527782.tif 000014
【図９】
2016527782.tif 000015
【図１０】
2016527782.tif 000016
【図１１】
2016527782.tif 000017
【図１２】
2016527782.tif 000018
【図１３】
2016527782.tif 000019
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記第１のネットワークはパケット交換ネットワークであり、前記第２のネットワークは回線交換ネットワークであり、前記方法はさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないと決定した後に、前記パケット交換ネットワークに必要な第１の送信電力と前記回線交換ネットワークに必要な第２の送信電力とを決定することと、を備え、
前記条件は、前記第２の送信電力が前記第１の送信電力より小さいことを備える、
方法。
【請求項２】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記第１のネットワークは回線交換ネットワークであり、前記第２のネットワークはパケット交換ネットワークであり、
前記条件は、前記パケット交換ネットワークが改善されたカバレッジ品質を有することを備え、
前記音声呼を前記回線交換ネットワークから前記パケット交換ネットワークへ前記切り換えることは、無線リソース制御（ＲＲＣ）シグナリングを使用して実行される、方法。
【請求項３】
前記パケット交換ネットワークは、前記音声呼が前記回線交換ネットワークを使用して開始される時、前記音声呼のために利用不可能であり、
前記条件は、前記パケット交換ネットワークが前記音声呼のために利用可能になること、を備える、請求項２に記載の方法。
【請求項４】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記第１のネットワークは回線交換ネットワークであり、前記第２のネットワークはパケット交換ネットワークであり、前記条件は、
前記回線交換ネットワークを使用して開始された前記音声呼がドロップすること、かつ
前記ＵＥがインターネットプロトコルマルチメディアサブシステム（ＩＭＳ）ネットワークに登録されていること、
を備える、方法。
【請求項５】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記音声呼が、前記第１のネットワークを使用して開始される時、前記ＵＥは、インターネットプロトコルマルチメディアサブシステム（ＩＭＳ）ネットワークから登録解除されており、前記方法はさらに、
前記ＵＥが前記ＩＭＳネットワークに登録されるまで、前記第１のネットワークを介して後続の音声呼を開始することを備える、方法。
【請求項６】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記音声呼が、前記第１のネットワークを使用して開始される時、前記ＵＥは、インターネットプロトコルマルチメディアサブシステム（ＩＭＳ）ネットワークから登録解除されており、前記方法はさらに、
前記第１のネットワークを使用した前記音声呼がドロップされた後に、前記第２のネットワークを介して後続の音声呼を開始することを備える、方法。
【請求項７】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記条件は、第１のネットワークにおける無線リンク障害（ＲＬＦ）を備え、前記音声呼は、粗悪なカバレッジ品質を有する前記第１のネットワークを使用して開始され、前記方法はさらに、
第１のネットワーク上で前記音声呼の間にＲＬＦが起こった後に、前記第２のネットワークを介して後続の音声呼を開始することを備える、方法。
【請求項８】
ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を備え、
前記第１のネットワークはパケット交換ネットワークであり、前記第２のネットワークは回線交換ネットワークであり、および前記条件は、前記パケット交換ネットワークが粗悪なカバレッジ品質を有することを備え、前記方法はさらに、
前記条件が存在するとの前記決定の後に、前記音声呼を前記パケット交換ネットワークから前記回線交換ネットワークへ切り換えることをユーザに促すことと、
前記音声呼を前記パケット交換ネットワークから前記回線交換ネットワークへ切り換えるための入力を前記ユーザから受信することと、ここにおいて、前記音声呼を前記パケット交換ネットワークから前記回線交換ネットワークへ前記切り換えることは、前記ユーザ入力が受信された後に起こり、単一無線音声呼継続（ＳＲＶＣＣ）シグナリングを介して実行される、
を備える、方法。
【請求項９】
ユーザ装置（ＵＥ）によるワイヤレス通信のための装置であって、前記装置は、
第１のネットワークを使用して音声呼を開始するための手段と、
条件が存在することを決定するための手段と、
前記条件が存在するとの前記決定の後に、前記音声呼を前記第１のネットワークから第２のネットワークへ切り換えるための手段と、を備え、
前記第１のネットワークはパケット交換ネットワークであり、前記第２のネットワークは回線交換ネットワークであり、前記装置はさらに、
前記ＵＥのバッテリ電力レベルがしきい値電力レベルよりも低いことを決定するための手段と、
前記ＵＥの前記バッテリ電力レベルが前記しきい値電力レベルよりも低い時、前記音声呼以外のすべてのデータサービスをディセーブルにするための手段と、
前記音声呼以外何れのデータアクティビティも実施されないことを決定するための手段と、
決定するための前記手段が前記音声呼以外何れのデータアクティビティも実施されないと決定した後に、前記パケット交換ネットワークに必要な第１の送信電力と前記回線交換ネットワークに必要な第２の送信電力とを決定するための手段と、を備え、
前記条件は、前記第２の送信電力が前記第１の送信電力より小さいことを備える、
装置。
【請求項１０】
ユーザ装置（ＵＥ）によるワイヤレス通信のための装置であって、前記装置は、
第１のネットワークを使用して音声呼を開始するための手段と、
条件が存在することを決定するための手段と、
前記条件が存在するとの前記決定の後に、前記音声呼を前記第１のネットワークから第２のネットワークへ切り換えるための手段と、を備え、
前記第１のネットワークは回線交換ネットワークであり、前記第２のネットワークはパケット交換ネットワークであり、
前記条件は、前記パケット交換ネットワークが改善されたカバレッジ品質を有することを備え、
切り換えるための前記手段は、無線リソース制御（ＲＲＣ）シグナリングを使用して、前記音声呼を前記回線交換ネットワークから前記パケット交換ネットワークへ切り換えるように構成される、装置。
【請求項１１】
前記パケット交換ネットワークは、前記音声呼が前記回線交換ネットワークを使用して開始される時、前記音声呼のために利用不可能であり、
前記条件は、前記パケット交換ネットワークが前記音声呼のために利用可能になること、を備える、請求項１０に記載の装置。
【請求項１２】
ユーザ装置（ＵＥ）によるワイヤレス通信のための装置であって、前記装置は、
メモリと、
前記メモリに結合される少なくとも１つのプロセッサとを備え、前記少なくとも１つのプロセッサは、
第１のネットワークを使用して音声呼を開始することと、
条件が存在することを決定することと、
前記条件が存在するとの前記決定の後に、前記音声呼を前記第１のネットワークから第２のネットワークへ切り換えることと、を行うように構成され、
前記第１のネットワークはパケット交換ネットワークであり、前記第２のネットワークは回線交換ネットワークであり、前記少なくとも１つのプロセッサはさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないと決定した後に、前記パケット交換ネットワークに必要な第１の送信電力と前記回線交換ネットワークに必要な第２の送信電力とを決定することと、
を行うように構成され、
前記条件は、前記第２の送信電力が前記第１の送信電力より小さいことを備える、
装置。
【請求項１３】
ユーザ装置（ＵＥ）によるワイヤレス通信のための装置であって、前記装置は、
メモリと、
前記メモリに結合される少なくとも１つのプロセッサとを備え、前記少なくとも１つのプロセッサは、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を行うように構成され、
前記第１のネットワークは回線交換ネットワークであり、前記第２のネットワークはパケット交換ネットワークであり、
前記条件は、前記パケット交換ネットワークが改善されたカバレッジ品質を有することを備え、
前記少なくとも１つのプロセッサは、無線リソース制御（ＲＲＣ）シグナリングを使用して前記音声呼を前記回線交換ネットワークから前記パケット交換ネットワークへ切り換えるように構成される、装置。
【請求項１４】
ユーザ装置（ＵＥ）によるワイヤレス通信のためのコンピュータプログラム製品であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、を行うためのコードを備えるコンピュータ読み取り可能な媒体を備え、
前記第１のネットワークはパケット交換ネットワークであり、前記第２のネットワークは回線交換ネットワークであり、
前記コンピュータ読み取り可能な媒体はさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないと決定した後に、前記パケット交換ネットワークに必要な第１の送信電力と前記回線交換ネットワークに必要な第２の送信電力とを決定することと、を行うためのコードを備え、
前記条件は、前記第２の送信電力が前記第１の送信電力より小さいことを備える、
コンピュータプログラム製品。
【手続補正２】
【補正対象書類名】明細書
【補正対象項目名】００８０
【補正方法】変更
【補正の内容】
【００８０】
[0095]  先の説明は、ここに説明された様々な態様を当業者が実施できるように提供されている。これらの態様に対する様々な変更は、当業者に容易に理解されるものであり、ここに定義された一般的な原理は、他の態様に適用され得る。したがって、請求項は、ここに示される態様に限定されるようには意図されておらず、請求項の文言と一致する最大の範囲を認められるべきであり、ここで、単数形でのある要素への言及は、そのように明確に述べられていない限りは、「１つおよび１つのみ」を意味するのではなく、「１つ以上」を意味するように意図されている。「例示的な（exemplary）」という用語は、ここで「例、実例、または例示としての役割を果たす」という意味で使用される。「例示的」であるとしてここで説明された何れの態様も、必ずしも、他の態様よりも好ましいまたは有利であると解釈されるべきではない。そうでないとの明確な記載がない限り、「何らかの（some）」という用語は、１つ以上を意味する。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの何れの組み合わせも含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のこのような組み合わせは、Ａ、Ｂ、またはＣの１つ以上のメンバーを含み得る。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書における如何なる開示も、そのような開示が特許請求の範囲に明確に記載されているか否かに関わらず、公に捧げられることを意図されてはいない。要素が「〜のための手段」という表現を使用して明確に記載されていない限り、何れの請求項の要素もミーンズプラスファンクションと解釈されるべきではない。
以下に本願の出願当初の特許請求の範囲に記載された発明を付記する。
[Ｃ１]  ユーザ装置（ＵＥ）によるワイヤレス通信の方法であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を備える、方法。
[Ｃ２]  前記第１のネットワークはパケット交換ネットワークであり、前記第２のネットワークは回線交換ネットワークであり、前記方法はさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないと決定した後に、前記パケット交換ネットワークに必要な第１の送信電力と前記回線交換ネットワークに必要な第２の送信電力とを決定することと、を備え、
前記条件は、前記第２の送信電力が前記第１の送信電力より小さいことを備える、Ｃ１に記載の方法。
[Ｃ３]  前記第１のネットワークは回線交換ネットワークであり、前記第２のネットワークはパケット交換ネットワークであり、および前記条件は、前記パケット交換ネットワークが改善されたカバレッジ品質を有することを備え、前記方法はさらに、
前記条件が存在するとの前記決定の後に、前記音声呼を前記回線交換ネットワークから前記パケット交換ネットワークへ切り換えることをユーザに促すことと、
前記音声呼を前記回線交換ネットワークから前記パケット交換ネットワークへ切り換えるための入力を前記ユーザから受信することと、を備え、
前記音声呼を前記回線交換ネットワークから前記パケット交換ネットワークへ前記切り換えることは、前記ユーザ入力が受信された後に起こる、Ｃ１に記載の方法。
[Ｃ４]  前記第１のネットワークは回線交換ネットワークであり、前記第２のネットワークはパケット交換ネットワークであり、
前記条件は、前記パケット交換ネットワークが改善されたカバレッジ品質を有することを備え、
前記音声呼を前記回線交換ネットワークから前記パケット交換ネットワークへ前記切り換えることは、無線リソース制御（ＲＲＣ）シグナリングを使用して実行される、Ｃ１に記載の方法。
[Ｃ５]  前記第１のネットワークは回線交換ネットワークであり、前記第２のネットワークはパケット交換ネットワークであり、
前記パケット交換ネットワークは、前記音声呼が前記回線交換ネットワークを使用して開始される時、前記音声呼のために利用不可能であり、
前記条件は、前記回線交換ネットワークが低下したカバレッジ品質を有し、かつ、前記パケット交換ネットワークが前記音声呼のために利用可能になること、を備える、Ｃ１に記載の方法。
[Ｃ６]  前記第１のネットワークは回線交換ネットワークであり、前記第２のネットワークはパケット交換ネットワークであり、前記条件は、
前記回線交換ネットワークを使用して開始された前記音声呼がドロップすること、かつ
前記ＵＥがインターネットプロトコルマルチメディアサブシステム（ＩＭＳ）ネットワークに登録されていること、
を備える、Ｃ１に記載の方法。
[Ｃ７]  前記音声呼が、前記第１のネットワークを使用して開始される時、前記ＵＥは、インターネットプロトコルマルチメディアサブシステム（ＩＭＳ）ネットワークから登録解除されており、前記方法はさらに、
前記ＵＥが前記ＩＭＳネットワークに登録されるまで、前記第１のネットワークを介して後続の音声呼を開始することを備える、Ｃ１に記載の方法。
[Ｃ８]  前記音声呼が、前記第１のネットワークを使用して開始される時、前記ＵＥは、インターネットプロトコルマルチメディアサブシステム（ＩＭＳ）ネットワークから登録解除されており、前記方法はさらに、
前記第１のネットワークを使用した前記音声呼がドロップされた後に、前記第２のネットワークを介して後続の音声呼を開始することを備える、Ｃ１に記載の方法。
[Ｃ９]  前記音声呼は、粗悪なカバレッジ品質を有する前記第１のネットワークを使用して開始され、前記方法はさらに、
前記音声呼の間に無線リンク障害（ＲＬＦ）が起こった後に、前記第２のネットワークを介して後続の音声呼を開始することを備える、Ｃ１に記載の方法。
[Ｃ１０]  前記第１のネットワークはパケット交換ネットワークであり、前記第２のネットワークは回線交換ネットワークであり、および前記条件は、前記パケット交換ネットワークが粗悪なカバレッジ品質を有することを備え、前記方法はさらに、
前記条件が存在するとの前記決定の後に、前記音声呼を前記パケット交換ネットワークから前記回線交換ネットワークへ切り換えることをユーザに促すことと、
前記音声呼を前記パケット交換ネットワークから前記回線交換ネットワークへ切り換えるための入力を前記ユーザから受信することと、ここにおいて、前記音声呼を前記パケット交換ネットワークから前記回線交換ネットワークへ前記切り換えることは、前記ユーザ入力が受信された後に起こり、単一無線音声呼継続（ＳＲＶＣＣ）シグナリングを介して実行される、
を備える、Ｃ１に記載の方法。
[Ｃ１１]  ユーザ装置（ＵＥ）によるワイヤレス通信のための装置であって、前記装置は、
第１のネットワークを使用して音声呼を開始するための手段と、
条件が存在することを決定するための手段と、
前記条件が存在するとの前記決定の後に、前記音声呼を前記第１のネットワークから第２のネットワークへ切り換えるための手段と、
を備える、装置。
[Ｃ１２]  前記第１のネットワークはパケット交換ネットワークであり、前記第２のネットワークは回線交換ネットワークであり、前記装置はさらに、
前記ＵＥのバッテリ電力レベルがしきい値電力レベルよりも低いことを決定するための手段と、
前記ＵＥの前記バッテリ電力レベルが前記しきい値電力レベルよりも低い時、前記音声呼以外のすべてのデータサービスをディセーブルにするための手段と、
前記音声呼以外何れのデータアクティビティも実施されないことを決定するための手段と、
決定するための前記手段が前記音声呼以外何れのデータアクティビティも実施されないと決定した後に、前記パケット交換ネットワークに必要な第１の送信電力と前記回線交換ネットワークに必要な第２の送信電力とを決定するための手段と、を備え、
前記条件は、前記第２の送信電力が前記第１の送信電力より小さいことを備える、Ｃ１１に記載の装置。
[Ｃ１３]  前記第１のネットワークは回線交換ネットワークであり、前記第２のネットワークはパケット交換ネットワークであり、および前記条件は、前記パケット交換ネットワークが改善されたカバレッジ品質を有することを備え、前記装置はさらに、
前記条件が存在するとの前記決定の後に、前記音声呼を前記回線交換ネットワークから前記パケット交換ネットワークへ切り換えることをユーザに促すための手段と、
前記音声呼を前記回線交換ネットワークから前記パケット交換ネットワークへ切り換えるための入力を前記ユーザから受信するための手段と、を備え、
切り換えるための前記手段は、前記ユーザ入力が受信された後に、前記音声呼を前記回線交換ネットワークから前記パケット交換ネットワークへ切り換えるように構成される、Ｃ１１に記載の装置。
[Ｃ１４]  前記第１のネットワークは回線交換ネットワークであり、前記第２のネットワークはパケット交換ネットワークであり、
前記条件は、前記パケット交換ネットワークが改善されたカバレッジ品質を有することを備え、
切り換えるための前記手段は、無線リソース制御（ＲＲＣ）シグナリングを使用して、前記音声呼を前記回線交換ネットワークから前記パケット交換ネットワークへ切り換えるように構成される、Ｃ１１に記載の装置。
[Ｃ１５]  前記第１のネットワークは回線交換ネットワークであり、前記第２のネットワークはパケット交換ネットワークであり、
前記パケット交換ネットワークは、前記音声呼が前記回線交換ネットワークを使用して開始される時、前記音声呼のために利用不可能であり、
前記条件は、前記回線交換ネットワークが低下したカバレッジ品質を有し、かつ、前記パケット交換ネットワークが前記音声呼のために利用可能になること、を備える、Ｃ１１に記載の装置。
[Ｃ１６]  ユーザ装置（ＵＥ）によるワイヤレス通信のための装置であって、前記装置は、
メモリと、
前記メモリに結合される少なくとも１つのプロセッサとを備え、前記少なくとも１つのプロセッサは、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を行うように構成される、
装置。
[Ｃ１７]  前記第１のネットワークはパケット交換ネットワークであり、前記第２のネットワークは回線交換ネットワークであり、前記少なくとも１つのプロセッサはさらに、
前記ＵＥのバッテリ電力レベルがしきい値電力レベルよりも低いことを決定することと、
前記ＵＥの前記バッテリ電力レベルが前記しきい値電力レベルよりも低い時、前記音声呼以外のすべてのデータサービスをディセーブルにすることと、
前記音声呼以外何れのデータアクティビティも実施されないことを決定することと、
前記音声呼以外何れのデータアクティビティも実施されないことを決定した後に、前記パケット交換ネットワークに必要な第１の送信電力と前記回線交換ネットワークに必要な第２の送信電力とを決定することと、
を行うように構成され、
前記条件は、前記第２の送信電力が前記第１の送信電力より小さいことを備える、Ｃ１６に記載の装置。
[Ｃ１８]  前記第１のネットワークは回線交換ネットワークであり、前記第２のネットワークはパケット交換ネットワークであり、および前記条件は、前記パケット交換ネットワークが改善されたカバレッジ品質を有することを備え、前記少なくとも１つのプロセッサはさらに、
前記条件が存在するとの前記決定の後に、前記音声呼を前記回線交換ネットワークから前記パケット交換ネットワークへ切り換えることをユーザに促すことと、
前記音声呼を前記回線交換ネットワークから前記パケット交換ネットワークへ切り換えるための入力を前記ユーザから受信することと、
を行うように構成され、
前記少なくとも１つのプロセッサは、前記ユーザ入力が受信された後に、前記音声呼を前記回線交換ネットワークから前記パケット交換ネットワークへ切り換えるように構成される、Ｃ１６に記載の装置。
[Ｃ１９]  前記第１のネットワークは回線交換ネットワークであり、前記第２のネットワークはパケット交換ネットワークであり、
前記条件は、前記パケット交換ネットワークが改善されたカバレッジ品質を有することを備え、
前記少なくとも１つのプロセッサは、無線リソース制御（ＲＲＣ）シグナリングを使用して前記音声呼を前記回線交換ネットワークから前記パケット交換ネットワークへ切り換えるように構成される、Ｃ１６に記載の装置。
[Ｃ２０]  ユーザ装置（ＵＥ）によるワイヤレス通信のためのコンピュータプログラム製品であって、
第１のネットワークを使用して音声呼を開始することと、
条件が存在することを決定することと、
前記条件が存在するとの前記決定の後に、前記音声呼を前記第１のネットワークから第２のネットワークへ切り換えることと、
を行うためのコードを備えるコンピュータ読み取り可能な媒体を備える、
コンピュータプログラム製品。
【国際調査報告】
2016527782.tif 000020
2016527782.tif 000021
2016527782.tif 000022